(57)【要約】【課題】吸水材を保持する保持部材のメンテナンス時の利便性が高い加湿装置を提供する。【解決手段】吸水材２６を保持する支持枠２５は、支持枠２５が有する各リブ２５ｂがトレイ本体２３の底面から突設された各ガイド部材２３ｂが有する溝部に挿入されることでトレイ内に挿入され、各ガイド部材２３ｂに支持される。【選択図】図３
2007322017.tif 000002
【特許請求の範囲】
【請求項１】
送風機と、水が溜められるトレイと、該トレイに溜められた水を吸収する吸水材と、該吸水材を保持する保持部材と、を備え、前記送風機の駆動により加湿装置内に吸い込まれた空気の少なくとも一部が前記吸水材に導かれるような加湿装置において、
前記トレイの底面に略垂直方向に形成される溝部を少なくとも一つ有するガイド部材が前記トレイの底面に略垂直方向に少なくとも一つ突設され、前記保持部材は前記溝部に係合するような係合部を少なくとも一つ有し、該係合部が前記溝部に挿入され前記保持部材が前記ガイド部材に支持されていることを特徴とする加湿装置。
【請求項２】
前記トレイは開口部を有し、該開口部の内部に前記保持部材が位置し、
前記送風機の駆動により加湿装置内に吸い込まれた空気の少なくとも一部が前記開口部と前記保持部材との隙間に入り込み、前記吸水材の前記トレイ内に位置する部分に導かれることを特徴とする請求項１に記載の加湿装置。
【請求項３】
前記保持部材は前記トレイ内に位置する開口を少なくとも一つ有し、該開口から前記吸水材が露出し、前記開口部と前記保持部材との隙間に入り込んだ空気の少なくとも一部が前記開口を介して前記吸水材に導かれることを特徴とする請求項２に記載の加湿装置。
【発明の詳細な説明】
【技術分野】
【０００１】
本発明は、加湿装置に関するものである。
【背景技術】
【０００２】
室内の空気を加湿する加湿装置は従来から様々開発されており、例えば、特許文献１には次のような加湿装置が開示されている。
【０００３】
特許文献１に開示された加湿装置は、前面に配された吸気口から室内の空気を取り込んで吹出口から送出させる送風機と、吸気口と送風機との間に配されて吸気口から取り込まれた空気を加湿する加湿部とを備えている。そして、加湿部は水が溜められるトレイを有し、トレイ上面に設けられた開口部に、吸水材を覆って保持する保持枠が挿入される。また、トレイに通風孔を設け、通風孔から取り込まれた空気をトレイ内を介して吸水材に導くようにしている。これにより、加湿量を増加させている。
【特許文献１】特開２００６−７１１１３号公報
【発明の開示】
【発明が解決しようとする課題】
【０００４】
しかし、上記特許文献１に開示された加湿装置では、トレイが軟質樹脂材料で形成される場合、トレイに設けられた開口部が歪み、メンテナンス時にトレイから取り外した保持枠を再度トレイに挿入する際に挿入しにくく、保持枠のメンテナンス時の利便性が低いという問題がある。また、トレイに専用の通風孔を設けるので、加湿部がその分大きくなり、ひいては加湿装置本体が大きくなってしまうという問題もある。
【０００５】
本発明は上記問題点を鑑み、吸水材を保持する保持部材のメンテナンス時の利便性が高い加湿装置を提供することを目的とする。
【課題を解決するための手段】
【０００６】
上記目的を達成するために本発明の加湿装置は、送風機と、水が溜められるトレイと、該トレイに溜められた水を吸収する吸水材と、該吸水材を保持する保持部材と、を備え、前記送風機の駆動により加湿装置内に吸い込まれた空気の少なくとも一部が前記吸水材に導かれるような加湿装置において、
前記トレイの底面に略垂直方向に形成される溝部を少なくとも一つ有するガイド部材が前記トレイの底面に略垂直方向に少なくとも一つ突設され、前記保持部材は前記溝部に係合するような係合部を少なくとも一つ有し、該係合部が前記溝部に挿入され前記保持部材が前記ガイド部材に支持されていることを特徴としている。
【０００７】
このような構成によれば、メンテナンス時に加湿装置から取り外された保持部材を再度加湿装置に装着する際でも装着が容易であり、保持部材のメンテナンス時の利便性が高いものとなる。
【０００８】
また、本発明の加湿装置は上記構成において、前記トレイは開口部を有し、該開口部の内部に前記保持部材が位置し、前記送風機の駆動により加湿装置内に吸い込まれた空気の少なくとも一部が前記開口部と前記保持部材との隙間に入り込み、前記吸水材の前記トレイ内に位置する部分に導かれることを特徴としている。
【０００９】
また、本発明の加湿装置は、さらに上記構成において、前記保持部材は前記トレイ内に位置する開口を少なくとも一つ有し、該開口から前記吸水材が露出し、前記開口部と前記保持部材との隙間に入り込んだ空気の少なくとも一部が前記開口を介して前記吸水材に導かれることを特徴としている。
【００１０】
このような構成によれば、トレイ内の吸水材からも水の蒸発が促進され、加湿装置を大きくすることなく加湿量を増加させることができる。
【発明の効果】
【００１１】
本発明の加湿装置によれば、吸水材を保持する保持部材のメンテナンス時の利便性が高まる。
【発明を実施するための最良の形態】
【００１２】
以下、本発明の実施形態について図面を参照して説明する。図１は、一実施形態の空気清浄機を示す外観斜視図である。空気清浄機１はベース１１の支持により本体部１０が立設されている。本体部１０の前面は前面パネル１２により覆われている。前面パネル１２には室内の空気を取り込む吸気口１３が設けられる。本体部１０の上部にはユーザが操作を行うための操作パネル１４が設けられる。
【００１３】
図２は、空気清浄機１の側面断面図である。なお、図２中の矢印は、送風時の空気の流れを示している。本体部１０の後部には軸方向に吸気して周方向に排気する送風機２８が設けられる。送風機２８は吸気側が吸気口１３に面して配され、通気口２９ａを有する通気パネル２９により前面が覆われる。通気パネル２９によって本体部１０の後部には上下に延びる通風路３０が形成される。通風路３０には上方に向けて開口する吹出口３１が設けられる。これにより、送風機２８の排気が吹出口３１に導かれる。
【００１４】
前面パネル１２と通気パネル２９との間には空気清浄用フィルターユニット２０および加湿部２１が配される。吸気口１３に面して配される空気清浄用フィルターユニット２０は、空気清浄機に組み込むものとして設計されている。
【００１５】
空気清浄用フィルターユニット２０と通気パネル２９との間には所定幅の空間部２７が形成されている。空間部２７を設けることにより空気清浄用フィルターユニット２０を通過した空気が通気口２９ａにスムーズに流入し、圧力損失および騒音を低減できるようになっている。また、加湿部２１は空間部２７の下部に配置されている。
【００１６】
ここで、図３（ａ）に加湿部の上面図を、図３（ｂ）に加湿部の正面断面図を、図３（ｃ）に加湿部の側面断面図を示す。なお、水タンクは図示していない。加湿部２１は、トレイ本体２３およびトレイ蓋２４からなるトレイと、支持枠２５と、吸水材２６と、不図示の水タンクとから構成される。
【００１７】
トレイ本体２３は、右側部の前後方向および後部の左右方向に形成され水が溜められる窪み部２３ａを有する。窪み部２３ａのうち左右方向の形成部の底面には、上面視略コの字状のガイド部材２３ｂが左右に位置するよう前記底面に略垂直方向に２つ突設される。各ガイド部材２３ｂのコの字の開口は対向している。ガイド部材２３ｂのコの字で囲まれた溝部は、窪み部２３ａの底面に略垂直方向に形成される。
【００１８】
トレイ蓋２４は、トレイ本体２３が有する窪み部２３ａを覆うような形状である基台部２４ａを有する。基台部２４ａには、左右方向に伸びる略四角筒状の開口部２４ｂが設けられる。また、基台部２４ａの端部には、不図示の水タンクが連結される給水口２４ｃが設けられる。そして、基台部２４ａがトレイ本体２３が有する窪み部２３ａを覆うようトレイ蓋２４をトレイ本体２３の上部に取り付けると、上記各ガイド部材２３ｂは、開口部２４ｂの開口を通過し、開口部２４ｂより上部に突出する形となる。このとき、各ガイド部材２３ｂは、開口部２４ｂとは接触しない。
【００１９】
支持枠２５は、略直方体状で上面が開口した箱形状の支持枠本体２５ａを有する。支持枠本体２５ａの左右側面の下部には、支持枠本体２５ａの前後方向略中央に上下方向に伸びたリブ２５ｂが各側面に略垂直方向に突設される。また、支持枠本体２５ａの正面の上部には略四角形状の開口２５ｃが左右方向に複数形成され、支持枠本体２５ａの正面の下部には上記各開口２５ｃの下部に位置するよう略四角形状の開口２５ｄが左右方向に複数形成される。また、支持枠本体２５ａの背面にも正面と同様に、背面上部に開口２５ｆが、背面下部に開口２５ｇがそれぞれ左右方向に複数形成される。また、支持枠本体２５ａの底面近傍の正面、底面および底面近傍の背面にかけて開口する開口２５ｅが左右方向に複数形成される。
【００２０】
そして、各リブ２５ｂを各ガイド部材２３ｂが有する溝部に挿入しつつ支持枠２５がトレイ内部へ挿入され、支持枠本体２５ａの底面がトレイ本体２３が有する窪み部２３ａの底面に接触するまで挿入される。この状態で、支持枠２５は各ガイド部材２３ｂに支持される。また、支持枠２５はトレイ蓋２４が有する開口部２４ｂの内部に位置し、開口部２４ｂとは接触しない。また、支持枠本体２５ａが有する各開口２５ｃおよび各開口２５ｆは、トレイ蓋２４が有する開口部２４ｂよりも上部に位置し、支持枠本体２５ａが有する各開口２５ｄ、各開口２５ｇおよび各開口２５ｅは、トレイ内に位置する。
【００２１】
吸水材２６は、前後方向にジグザグに折り曲げられた屏風状に形成されている。そして、吸水材２６は、支持枠本体２５ａの上面の開口より支持枠本体２５ａ内部へ挿入され、支持枠本体２５ａの底面に接触するまで挿入される。このように挿入された状態で、吸水材２６の一部が支持枠本体２５ａより上部に突出する形となる。また、支持枠本体２５ａが有する各開口２５ｃ、各開口２５ｄ、各開口２５ｆ、各開口２５ｇおよび各開口２５ｅから吸水材２６が露出する形となる。
【００２２】
また、不図示の水タンクがトレイ蓋２４が有する給水口２４ｃに連結される。水タンクを給水口２４ｃに連結すると、トレイ本体２３が有する不図示の弁押さえが水タンクが有する止水弁を押し、水タンクに貯水された水がトレイ本体２３に供給され、トレイ本体２３が有する窪み部２３ａに水が溜まる。そして、吸水材２６は、窪み部２３ａに溜められた水を支持枠本体２５ａが有する各開口２５ｅを介して吸い上げ保水する。
【００２３】
上記構成の加湿部２１は、図２のように、支持枠本体２５ａの正面側が前面パネル１２に対向するよう本体部１０内部に配置される。また、水タンクは本体部１０の側部に立設される（図１の水タンク２２を参照）。
【００２４】
以上のような構成の空気清浄機１において、送風機２８が駆動されると、前面パネル１２が有する吸気口１３から本体部１０内へ室内の空気が吸い込まれる。吸気口１３から吸い込まれた空気は空気清浄用フィルターユニット２０を通過することで塵埃を除去され、通気口２９ａを介して通風路３０に流入する。
【００２５】
空気清浄用フィルターユニット２０の下方を通過した空気の一部は、吸水材２６の支持枠本体２５ａより上部に突出した部分を通過し加湿され、通気口２９ａを介して通風路３０に流入する。
【００２６】
また、空気清浄用フィルターユニット２０の下方を通過した空気の一部は、支持枠本体２５ａが有する各開口２５ｃに入り込み、一部は吸水材２６を通過して加湿され、吸水材２６の支持枠本体２５ａから上部に突出した部分の背面から流出し通気口２９ａを介して通風路３０に流入し、また一部は吸水材２６を通過して加湿され、支持枠本体２５ａが有する各開口２５ｆから流出し通気口２９ａを介して通風路３０に流入する。
【００２７】
また、空気清浄用フィルターユニット２０の下方を通過した空気の一部は、支持枠本体２５ａの正面とトレイ蓋２４が有する開口部２４ｂとの隙間に入り込み、支持枠本体２５ａが有する各開口２５ｄおよび吸水材２６を通過して加湿され、支持枠本体２５ａが有する各開口２５ｇおよび支持枠本体２５ａの背面とトレイ蓋２４が有する開口部２４ｂとの隙間を通過し、通気口２９ａを介して通風路３０に流入する。
【００２８】
そして、通風路３０を流通する加湿された空気は吹出口３１から室内へ送出され、室内の空気が加湿される。
【００２９】
本実施形態によれば、各リブ２５ｂを各ガイド部材２３ｂが有する溝部に挿入しつつ支持枠２５がトレイ内に挿入されるので、メンテナンス時にトレイから引き抜かれた支持枠を再度トレイ内に挿入する際でも挿入は容易であり、支持枠のメンテナンス時の利便性が高まる。また、吸水材２６は支持枠本体２５ａ上面の開口から支持枠本体２５ａ内に挿入されているので、吸水材の脱着が容易であり、吸水材のメンテナンスが容易となる。
【００３０】
また、本実施形態によれば、送風時に支持枠本体２５ａの正面とトレイ蓋２４が有する開口部２４ｂとの隙間に入り込み、支持枠本体２５ａが有する各開口２５ｄを通過する空気によって、トレイ内の吸水材からも水の蒸発が促進され、吸水材の全体を空気の加湿に寄与させることができ、加湿部ひいては空気清浄機本体を大きくすることなく加湿量を増加させることができる。
【図面の簡単な説明】
【００３１】
【図１】は、本発明に係る空気清浄機の外観斜視図である。
【図２】は、本発明に係る空気清浄機の側面断面図である。
【図３】は、本発明に係る空気清浄機が有する加湿部の（ａ）上面図（ｂ）正面断面図（ｃ）側面断面図である。
【符号の説明】
【００３２】
１    空気清浄機
１０    本体部
１１    ベース
１２    前面パネル
１３    吸気口
１４    操作パネル
２０    空気清浄用フィルターユニット
２１    加湿部
２２    水タンク
２３    トレイ本体
２４    トレイ蓋
２５    支持枠
２６    吸水材
２７    空間部
２８    送風機
２９    通気パネル
３０    通風路
３１    吹出口
【図１】
2007322017.tif 000003
【図２】
2007322017.tif 000004
【図３】
2007322017.tif 000005